(57)【要約】 【課題】  ハウジングの後面側からの導通検査を可能とする。【解決手段】  雌ハウジング２１の後面には、キャビティ２２の入口２２Ｂの下側におけるこの入口２２Ｂの横幅内の位置において、その入口２２Ｂの下面に開口したテスタ挿入口７０が形成される。テスタ挿入口７０は、ランス２６のほぼ後方に対応して形成され、奥にはテーパ状の誘導面７２が形成される。テスタＴの検査ピンＴｐをテスタ挿入口７０に挿入すると、検査ピンＴｐは誘導面７２に沿って雌端子金具３０に接近するように誘導され、入口２２Ｂに臨んでいるインシュレーションバレル３４の外面に押し付けられて接触する。これにより正規に導通検査が行われる。【選択図】  図１３
2005317325.tif 000002
【特許請求の範囲】
【請求項１】
ハウジング内には電線の端末に固着された端子金具を挿入可能なキャビティが設けられ、このハウジングの後面には、テスタの検査ピンを挿入可能なテスタ挿入口が、前記キャビティの入口の幅内においてこの入口と連通して設けられ、検査ピンが前記端子金具の後部側に接触可能とされていることを特徴とするコネクタ。
【請求項２】
前記キャビティの一壁面には、前記端子金具に抜け止め状に係止するランスが設けられており、前記テスタ挿入口は、前記ランスを設けた壁側に形成されていることを特徴とする請求項１記載のコネクタ。
【請求項３】
前記テスタ挿入口の奥面には、挿入された前記検査ピンを当ててこの検査ピンを前記キャビティに接近する方向に誘導するテーパ状の誘導面が形成されていることを特徴とする請求項１または請求項２記載のコネクタ。
【発明の詳細な説明】
【技術分野】
【０００１】
本発明は、導通検査を行うことに適したコネクタに関する。
【背景技術】
【０００２】
ハウジング内に電線の端末に固着された端子金具を収容してなるコネクタでは、各種の導通検査が行われる。その一例としては、端子金具がハウジングにおける所定のキャビティに正規に挿入されたか否かを検査するものがあり、この場合は、検査ピンをキャビティの前面に開口された端子挿入口から挿入して端子金具に当てる構造となっている（例えば、特許文献１参照）。  
一方、雌雄のコネクタを嵌合したのち対応する雌雄の端子金具同士が正規に電気接続されたか否かを検査する場合があり、その場合はコネクタを嵌合した状態で導通検査を行う必要があるため、ハウジングの後面に開口されたキャビティの入口から検査ピンを挿入して端子金具に当てるようにしていた。
【特許文献１】特公平７−２７０００号公報
【発明の開示】
【発明が解決しようとする課題】
【０００３】
上記方法は大型のコネクタでは特に問題ではないが、コネクタが小型になると、キャビティの入口と電線との間の隙間がきわめて小さくなるため、検査ピンの差し込みが難しくなって対応できないという問題があった。  
本発明は上記のような事情に基づいて完成されたものであって、その目的は、ハウジングの後面側からの導通検査を可能とするところにある。
【課題を解決するための手段】
【０００４】
上記の目的を達成するための手段として、請求項１の発明は、ハウジング内には電線の端末に固着された端子金具を挿入可能なキャビティが設けられ、このハウジングの後面には、テスタの検査ピンを挿入可能なテスタ挿入口が、前記キャビティの入口の幅内においてこの入口と連通して設けられ、検査ピンが前記端子金具の後部側に接触可能とされている構成としたところに特徴を有する。
【０００５】
請求項２の発明は、請求項１に記載のものにおいて、前記キャビティの一壁面には、前記端子金具に抜け止め状に係止するランスが設けられており、前記テスタ挿入口は、前記ランスを設けた壁側に形成されているところに特徴を有する。  
請求項３の発明は、請求項１または請求項２に記載のものにおいて、前記テスタ挿入口の奥面には、挿入された前記検査ピンを当ててこの検査ピンを前記キャビティに接近する方向に誘導するテーパ状の誘導面が形成されているところに特徴を有する。
【発明の効果】
【０００６】
＜請求項１の発明＞
テスタ挿入口からテスタの検査ピンを挿入すると、テスタ挿入口はキャビティの入口の幅内で同入口に連通して形成されているから、検査ピンは、端子金具における電線に対する固着部等の後端部に当てられる。  
キャビティの入口一杯に電線が挿通されるような小型のコネクタであっても、ハウジングの後面側から検査ピンを挿入する形式の導通検査を正確に行うことができる。
【０００７】
＜請求項２の発明＞
テスタ挿入口が、ランスを設けた壁側といった必須の部位、言い換えるとデッドスペースに設けられているから、ハウジングの大型化を招くことが回避される。  
＜請求項３の発明＞
例えば仕様等が異なって、線径が小さい電線が使用された場合は、端子金具における電線への固着部がキャビティの入口内に退避する可能性がある。そのような場合も、挿入された検査ピンは誘導面によってキャビティに接近する方向に誘導され、引っ込んだ電線固着部にも必ずや当てられる。電線径の大小に拘わらず確実に導通検査を行うことができる。
【発明を実施するための最良の形態】
【０００８】
＜実施形態＞
以下、本発明の一実施形態を図１ないし図１５に基づいて説明する。  
この実施形態では、図１に示すように、互いに嵌合する雄コネクタ１０と雌コネクタ２０とを備え、雌コネクタ２０側ににロックアーム４０が設けられている場合を例示している。なお以下では、両コネクタ１０，２０においてそれぞれ嵌合面側を前方として説明する。
【０００９】
先に雄コネクタ１０について説明する。雄コネクタ１０は、プリント回路基板Ｋ（以下、基板Ｋ）に搭載される基板用コネクタであって、合成樹脂製の雄ハウジング１１に、複数本の雄端子金具１２が装着されている。雄ハウジング１１は、図２にも示すように、全体としては横長のブロック状に形成され、その前面に、後記する雌ハウジング２１が嵌合される嵌合凹部１３が形成されている。嵌合凹部１３の奥壁である基壁１４には、複数の端子挿入孔１５が上下二段に分かれ、かつ上下で互い違いとなった配置で形成されている。
【００１０】
各端子挿入孔１５には、それぞれタブ状をなす雄端子金具１２の一端が挿入され、嵌合凹部１３に整列して突出している。各雄端子金具１２の他端側は基壁１４から後方に突出しており、所定位置から下方へ直角曲げされ、雄ハウジング１１の下面に達する下端部がさらに後方に直角曲げされて接続部１２Ａとされている。  
雄コネクタ１０は、基板Ｋの端部の所定位置において、嵌合凹部１３を外側に向けた姿勢で載置され、両側面に装着された固定金具１６を同基板Ｋ上に半田付けすることで固定されている。併せて、各雄端子金具１２の接続部１２Ａが、基板Ｋ上の対応する導電路に半田付けされて接続されるようになっている。
【００１１】
続いて雌コネクタ２０について説明する。雌コネクタ２０は合成樹脂製の雌ハウジング２１を備えており、この雌ハウジング２１は、図３ないし図６にも示すように、雄ハウジング１１の嵌合凹部１３内に嵌合可能な横長のブロック状に形成されている。雌ハウジング２１の内部には、雌端子金具３０を収容する複数のキャビティ２２が、上記した雄コネクタ１０の雄端子金具１２の配列と対応して、上下二段に分かれかつ上下で互い違いとなった配置で形成されている。
【００１２】
キャビティ２２は詳細には、上段側に１８室、下段側に２２室が配されており、図５に示すように、上段側ではさらに、ロックアーム４０を挟んで背面から見た左側に１０室、右側に８室が配されており、右側領域における右から５番目に相当する位置には、キャビティ２２が除去されたキャビティ潰し部２２Ｘが設けられている。下段側では、全幅にわたって並んで配されているが、左から５番目に相当する位置に、同様にキャビティ潰し部２２Ｘが設けられている。  
両キャビティ潰し部２２Ｘが設けられた位置には、前面に開口したガイド溝２３が切られており、一方、上記した雄ハウジング１１における嵌合凹部１３の上下の面にはそれぞれリブ１７が形成され、嵌合時にリブ１７がガイド溝２３に沿って進入することで、こじりが防止できるようになっている。
【００１３】
雌端子金具３０は、図１２に示すように、角筒状をなす本体部３１内に相手の雄端子金具１２と接触可能な弾性接触片３２を備えた形状であって、本体部３１の後方に設けられたバレル３３，３４をかしめることにより、電線Ｗの端末に固着されている。  
キャビティ２２は、その前壁に雄端子金具１２が挿入される端子挿入口２５が開口されているとともに、その底壁２２Ａには、ランス２６が前方の斜め上方を向いた片持ち状で撓み変形可能に形成されている。
【００１４】
雌端子金具３０はキャビティ２２内に後方から挿入され、ランス２６を撓み変形させつつ押し込まれて正規位置に至ると、ランス２６が復元変形して本体部３１に設けられた係止部３６に係止する。また、雄ハウジング１１の下面には、サイドタイプのリテーナ２８が装着され、リテーナ２８が本係止位置まで押し込まれたところで、係止突部２９が本体部３１のあご部３７に係止し、これにより雌端子金具３０は、キャビティ２２内に二重に抜け止めされて収容されるようになっている。
【００１５】
次に、ロックアーム４０について説明する。雌ハウジング２１の上面における幅方向のほぼ中央位置には、前後方向を向いた凹溝４１が全長にわたって形成されており、この凹溝４１内にロックアーム４０が設けられている。ロックアーム４０は大まかには、前後方向に延出したアーム本体４３と、アーム本体４３の後端側において幅方向に張り出した解除操作部４４とから構成されている。
【００１６】
アーム本体４３は、凹溝４１の溝底の前端から立ち上がって後端付近まで折り返すようにして形成されており、立ち上がり部４５を支点として上下方向に弾性変位可能となっている。アーム本体４３の上面における長さ方向の略中央部にはロック部４６が設けられている。一方、上記した雄ハウジング１１の嵌合凹部１３の上面には、図１に示すように、幅方向のほぼ中央部の前縁に被ロック部１８が形成されている。アーム本体４３のロック部４６は、この被ロック部１８の後面側に係止可能であって、前面が後方へ向かって上り勾配となったガイド面４６Ａに、後面が切り立った係止面４６Ｂとされている。なお、被ロック部１８も、前面がテーパ状のガイド面１８Ａ、後面が切り立った係止面１８Ｂとなっている。
【００１７】
解除操作部４４は、アーム本体４３の後端（自由端）の上面において、これと直交するように一体形成されている。詳細には、左右方向の中央部分が押圧部４８とされ、この押圧部４８の後端側が一段高くなった高位部４８Ａとされている。押圧部４８における高位部４８Ａよりも手前側の左右の側縁からは、一対の腕部５０が突出して形成されている。
一方、雌ハウジング２１の上面には、上記した解除操作部４４の両側を挟むようにして左右一対の保護壁５２が立ち上がって形成されている。この保護壁５２は、解除操作部４４の手前側の面から雌ハウジング２１の後面に至る領域に形成され、またその高さは、解除操作部４４の高位部４８Ａよりも少し高い程度となっている。
【００１８】
解除操作部４４の両腕部５０は、図４に示すように、突出端に向けて下り勾配となった傾斜姿勢で形成されており、各腕部５０の突出端は、対応する保護壁５２の内面における手前側の下部位置に連結されている。言い換えると解除操作部４４は、全体としてはアーチ状に形成され、両腕部５０の突出端の保護壁５２との連結部５０Ａを支点として、上下に弾性変位可能となっている。したがってロックアーム４０全体としては、３点支持構造となっている。
【００１９】
上記した保護壁５２には、解除操作部４４の特に腕部５０に対して不用意に接触することを規制する手段が講じられている。詳細には、保護壁５２の上端における奥側の上端部から、一対の規制壁５５が互いに向き合うようにして水平姿勢で形成されている。規制壁５５は、図５に示すように、上面が保護壁５２の上端、したがって腕部５０の基端側よりも高い位置で水平に形成されているとともに、下面は基端側に向けて下り勾配となり、次第に厚肉とされて補強されている。さらに言い換えると、規制壁５５は、上下方向においては、腕部５０の上方における保護壁５２の上端までの空間Ｓを埋めるようにして形成されている。
【００２０】
一方、規制壁５５は前後方向では、図６に示すように、腕部５０の後方から雌ハウジング２１の後面に至る幅に形成されている。言い換えると、規制壁５５は、上下方向においては、腕部５０の上方に位置しながらも、前後方向においては、腕部５０から離れた後方に位置している。  
ここで仮に、腕部５０と規制壁５５とが前後方向にラップして配されていると、腕部５０と規制壁５５との上下方向のクリアランスを形成するために、成形型に細いピン（板）を設ける必要があって、成形型の製造が難しくなる。  
その点本実施形態のように、腕部５０と規制壁５５とが前後方向に分離していると、腕部５０と規制壁５５との間に上下方向のクリアランスを設ける必要がないから、図８に示すように、さほど細かい成形部を有しない前後の成形型Ｘ，Ｙによって、当該部分を成形することが可能となる。
【００２１】
雌ハウジング２１における下面側、すなわちロックアーム４０を設けた側と反対側の面には、その後端側における幅方向の中央部に、やや厚肉の壁状をなす指掛部５７が突出形成されている。この指掛部５７は、雌ハウジング２１を相手の雄ハウジング１１に対して嵌合・離脱する際に、作業者が指を掛けることに用いるものであって、図５に示すように、保護壁５２の間隔よりも若干広い幅寸法と、保護壁５２の半分程度の高さ寸法を有している。
【００２２】
雌ハウジング２１の後面には、図５に示すように、キャビティ２２の位置を作業者に視認させるための各種目印が設けられている。  
第１の目印６０は、上記した指掛部５７に設けられている。この目印６０は、指掛部５７を前後に貫通する貫通孔６１により形成され、図示３個が間隔を開けて形成されている。この貫通孔６１は、角に丸みを付けた横長の長方形に形成されており、特に左右の縦縁がほぼ直線状とされているところに意義がある。  
各貫通孔６１は、直線状の左右の側縁が、下段側の特定のキャビティ２２の入口２２Ｂにおける左右の側縁と整合するように設けられている。  
また、指掛部５７自身の左右の側縁も、第２の目印６２として使用される。この左右の側縁も直線状であって、例えば左側の目印６２が下段側の特定のキャビティ２２の入口２２Ｂにおける左側縁と整合し、右側の目印６２が、下段側の別の特定のキャビティ２２の入口２２Ｂにおける右側縁と整合するように設けられている。
【００２３】
さらに上段側については、上記した左右の保護壁５２の外面側が直線状に形成され、第３の目印６３として使用される。例えば左側の目印６３が上段側の特定のキャビティ２２の入口２２Ｂにおける左側縁と整合し、右側の目印６３が、上段側の別の特定のキャビティ２２の入口２２Ｂにおける右側縁と整合するように設けられている。  
なお、キャビティ潰し部２２Ｘも、それ自体が目印となり得るが、その後面にも改めて凹部等の第４の目印６４が形成されている。
【００２４】
また本実施形態のコネクタでは、雄雌のハウジング１１，２１が嵌合されて、それぞれに装着された対応する雄雌の端子金具１２，３０同士が接続された状態で、導通検査が行われるようになっている。そのために、雌ハウジング２１の後面には、テスタＴを挿入するためのテスタ挿入口７０が形成されている。  
このテスタ挿入口７０は、図７、図９及び図１０に示すように、各キャビティ２２の入口２２Ｂの下側におけるこの入口２２Ｂの横幅内の左端に寄った位置において、その入口２２Ｂの下面に開口して形成されている。このテスタ挿入口７０の形成位置は、各キャビティ２２に設けられたランス２６の形成位置のほぼ後方に対応する位置である。
【００２５】
テスタ挿入口７０はより詳細には、一辺の長さがキャビティ２２の入口２２Ｂの横幅よりも少し長い寸法のほぼ正方形に形成され、テスタＴの検査ピンＴｐがほぼ緊密に挿入可能となっている。テスタ挿入口７０は、さらに左右の領域に分けられ、背面から見た左側の領域では、その奥がリテーナ２８が装着されるリテーナ装着孔２８Ａに貫通している。
一方の右側の領域では、行き止まり状に形成されている。その奥面７１の位置は、図７に示すように、雌端子金具３０がキャビティ２２内に正規に挿入された場合に、インシュレーションバレル３４よりも前方に来るように設定されている。また、同右側の領域の底面は、上記の正規挿入された雌端子金具３０におけるインシュレーションバレル３４と対応する位置から、上記の奥面７１に向けて緩やかな上り勾配の傾斜面とされ、検査ピンＴｐを雌端子金具３０側に寄せるべく誘導面７２とされている。
【００２６】
続いて、本実施形態の作用を説明する。  
雌コネクタ２０側では、雌ハウジング２１のキャビティ２２内に雌端子金具３０が挿入される。各雌端子金具３０は挿入すべきキャビティ２２が定まっており、かつ全てのキャビティ２２が埋められるわけではないので、作業者は、キャビティ２２の番地を示した作業表と照合させつつ雌端子金具３０を挿入する。ここで、雌ハウジング２１の後面には各種目印６０，６２，６３，６４が設けられていて、例えば所定の目印６０，６２，６３，６４から何番目のキャビティ２２といったように、キャビティ２２の番地が視認しやすくなっているから、雌端子金具３０を対応するキャビティ２２内に間違いなく挿入することができる。
【００２７】
このように雌コネクタ２０の組み付けが完了したら、雌コネクタ２０は、図１に示すように、基板Ｋ上に取り付けられた雄コネクタ１０に対して嵌合される。雌ハウジング２１はリブ１７とガイド溝２３とで案内されて真直に雄ハウジング１１の嵌合凹部１３内に押し込まれる。所定深さまで押し込まれると、図１１に示すように、ロック部４６と被ロック部１８のガイド面４６Ｂ，１８Ｂ同士が当たり、さらに押し込まれるとロックアーム４０が弾性変位する。アーム本体４３が立ち上がり部４５を支点として下方へ揺動変位するとともに、解除操作部４４が両腕部５０の連結部５０Ａを支点として同じく下方へ変位する。
【００２８】
雌ハウジング２１が正規深さまで嵌合されると、ロック部４６が被ロック部１８を通過し、図１２に示すように、解除操作部４４ともどもアーム本体４３が弾性的に復動し、ロック部４６の係止面４６Ｂが被ロック部１８の係止面１８Ｂに対して係止される。これにより、両コネクタ１０，２０が正規の嵌合状態にロックされる。このとき、対応する雄雌の端子金具１２，３０同士も正規に接触して、電気的接続状態が取られる。
【００２９】
ここで雌ハウジング２１を嵌合する際、雌ハウジング２１が横長形状であることから、幅方向の中央部付近を上下両側から摘んで嵌合するのが一般的である。このとき、特に上面側において、ロックアーム４０の解除操作部４４における押圧部４８は摘まないかも知れないが、少し側方にずれた腕部５０の位置を摘むことはあり得る。しかしながら、腕部５０の直後には、腕部５０よりも高い所に位置する規制壁５５が配されているから、作業者の指は、規制壁５５で遮られて腕部５０に接触することが回避される。  
そのため、上記のように両コネクタ１０，２０が正規嵌合されてロックアーム４０が弾性的に復動する際に、所定の勢いを持って復動し、係止音が生じる等、良好なロックフィーリングを得ることができる。
【００３０】
両コネクタ１０，２０の嵌合が完了したら、導通検査が行われる。導通検査は、両コネクタ１０，２０が嵌合された状態で、雌端子金具３０が挿入されたキャビティ２２の全数について行われる。それには、図１３に示すように、テスタＴの検査ピンＴｐを、キャビティ２２に連通して設けられたテスタ挿入口７０に挿入する。挿入された検査ピンＴｐは、誘導面７２に沿って雌端子金具３０に接近するように誘導され、インシュレーションバレル３４の外面に押し付けられて接触する。これにより、正規に導通検査が行われる。
【００３１】
なお、仕様等によっては、図１４に示すように、同じ雌端子金具３０を線径が異なる電線Ｗａに圧着して用いることがある。ここで、線径が小さい電線Ｗａでは、インシュレーションバレル３４をかしめた際の高さが低くなるため、インシュレーションバレル３４の上面（同図では下側）が、テスタ挿入口７０から離間するようにキャビティ２２内に退避した状態となる。しかしながらこのような場合でも、挿入された検査ピンＴｐは誘導面７２に倣って雌端子金具３０にさらに接近するように誘導され、結果インシュレーションバレル３４の外面に確実に押し付けられて接触することとなる。
【００３２】
上記の導通検査時において不備があったり、あるいは適宜に行われるメンテナンス時には、雌コネクタ２０を雄コネクタ１０から離脱させる場合がある。そのときは、図１２に示す状態から、例えば人差し指を指掛部５７に掛ける一方、親指を解除操作部４４の押圧部４８に当てて押し込む。そうすると、図１５に示すように、解除操作部４４が腕部５０を弾性変形させつつ押し下げられ、それに伴いアーム本体４３が下方に揺動変位することで、ロック部４６が被ロック部１８の下方に抜け、すなわちロックが解除される。そうしたら続いて、指掛部５７との間で雌ハウジング２１を摘みつつ引き抜けば、雌コネクタ２０を雄コネクタ１０から離脱させることができる。
【００３３】
以上説明したように本実施形態によれば、テスタ挿入口７０がキャビティ２２の入口２２Ｂの幅内で同入口２２Ｂの下面に開口して形成されているから、検査ピンＴｐをテスタ挿入口７０に挿入することに伴い、検査ピンＴｐは、入口２２Ｂに臨んでいる雌端子金具３０のインシュレーションバレル３４に当てられる。すなわち、キャビティ２２の入口２２Ｂのほぼ一杯に電線Ｗが挿通されるような小型のコネクタであっても、雌ハウジング２１の後面側から検査ピンＴｐを挿入する形式の導通検査を正確に行うことができる。
【００３４】
テスタ挿入口７０は、ランス２６を設けた底壁２２Ａといった必須の部位、言い換えるとデッドスペースに設けられているから、雌ハウジング２１の大型化を招くことが回避される。  
仕様等が異なって、線径が小さい電線Ｗａが使用された場合は、雌端子金具３０のインシュレーションバレル３４がキャビティ２２の入口２２Ｂ内に退避する可能性があるが、テスタ挿入口７０の奥には誘導面７２が形成されているから、検査ピンＴｐは誘導面７２で誘導されつつ、インシュレーションバレル３４にも必ずや当てられる。電線径の大小に拘わらず、確実に導通検査を行うことができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）テスタ挿入口は、キャビティの入口の幅内であれば、上縁あるいは左右の側縁に連通状に設けるようにしてもよい。  
（２）ワイヤハーネスの端末に接続されているものであれば、雄端子金具が挿入された雄コネクタにも同様に適用することができる。  
（３）端子金具が、圧接刃により電線の端末に固着された形式のものにも、本発明は同様に適用することができる。
【図面の簡単な説明】
【００３６】
【図１】本発明の一実施形態に係る雄雌のコネクタの嵌合前の状態の縦断面図
【図２】雄コネクタの正面図
【図３】雌ハウジングの斜視図
【図４】同正面図
【図５】同背面図
【図６】同平面図
【図７】雌コネクタの縦断面図
【図８】型構造を示す図４のVIII−VIII線で切った部分断面図
【図９】キャビティの形成部分の背面図
【図１０】同斜視図
【図１１】雄雌のコネクタの嵌合途中の縦断面図
【図１２】その嵌合完了時の縦断面図
【図１３】導通検査を行っている状態の縦断面図
【図１４】線径の小さい電線を使用した場合における導通検査時の縦断面図
【図１５】ロックを解除した状態の縦断面図
【符号の説明】
【００３７】
２１…雌ハウジング（ハウジング）
２２…キャビティ
２２Ａ…（キャビティ２２の）底壁
２２Ｂ…（キャビティ２２の）入口
２６…ランス
３０…雌端子金具
３４…インシュレーションバレル
７０…テスタ挿入口
７２…誘導面
Ｗ，Ｗａ…電線
Ｔ…テスタ
Ｔｐ…検査ピン
【図１】
2005317325.tif 000003
【図２】
2005317325.tif 000004
【図３】
2005317325.tif 000005
【図４】
2005317325.tif 000006
【図５】
2005317325.tif 000007
【図６】
2005317325.tif 000008
【図７】
2005317325.tif 000009
【図８】
2005317325.tif 000010
【図９】
2005317325.tif 000011
【図１０】
2005317325.tif 000012
【図１１】
2005317325.tif 000013
【図１２】
2005317325.tif 000014
【図１３】
2005317325.tif 000015
【図１４】
2005317325.tif 000016
【図１５】
2005317325.tif 000017